(57)【要約】【課題】ケーブル巻き取り機構を備えたマウスデバイスを提供する。【解決手段】マウスデバイスは、本体と、ケーブルアセンブリと、可撓性カバー部材とを含む。本体は、頂部と、底部と、頂部と底部の間に重なるように配置された環側部とを有する。環側部の底部上の正投影は、底部の範囲内にあり、且つ環側部の頂部上の正投影は、頂部の範囲内にある。ケーブルアセンブリは、環側部に沿って本体に巻き取られる。可撓性カバー部材は、本体の環側部の上に包むように配置される。可撓性カバー部材は、本体に相対して開閉することによって、環側部に巻き取られたケーブルアセンブリを覆う、または露出する。【選択図】図１Ａ
2012159933.tif 000002
【特許請求の範囲】
【請求項１】
頂部と、底部と、前記頂部と前記底部の間に重なるように配置された環側部とを有し、前記環側部の前記底部上の正投影が、前記底部の範囲内にあり、且つ前記環側部の前記頂部上の正投影が、前記頂部の範囲内にある本体と、
前記環側部に沿って前記本体に巻き取られるケーブルアセンブリと、
前記本体の前記環側部の上に包むように配置され、且つ前記本体に相対して開閉することによって、前記環側部に巻き取られた前記ケーブルアセンブリを覆う、または露出する可撓性カバー部材と、
を含むマウスデバイス。
【請求項２】
前記環側部の前記底部上の正投影の面積が、前記底部の面積よりも小さく、且つ前記環側部の前記頂部上の正投影の面積が、前記頂部の面積よりも小さいため、前記頂部、前記底部および前記環側部によって前記本体の環状凹溝を形成した請求項１記載のマウスデバイス。
【請求項３】
前記可撓性カバー部材が、前記頂部に隣接した第１側辺と、前記底部に隣接した第２側辺と、前記第１側辺と前記第２側辺の間に配置されたカバー部とを有し、且つ前記カバー部が、前記環側部を跨いで前記ケーブルアセンブリを覆う請求項１記載のマウスデバイス。
【請求項４】
前記可撓性カバー部材の前記第１側辺が、前記頂部に接続され、前記可撓性カバー部材の前記第２側辺が、取り外しができるよう前記底部に繋縛され、且つ前記可撓性カバー部材が、前記第２側辺から前記第１側辺に向かって移動することによって、前記カバー部を前記本体に相対して開いた状態にする請求項３記載のマウスデバイス。
【請求項５】
前記可撓性カバー部材が、
前記本体の一側に枢接され、一部の前記第１側辺と、一部の前記第２側辺と、一部の前記カバー部とを有する第１部材と、
前記本体の前記側に枢接され、別の一部の前記第１側辺と、別の一部の前記第２側辺と、別の一部の前記カバー部とを有する第２部材と、
を含み、
前記第１部材および前記第２部材が、互いに前記本体に対して反対方向に回転して、前記第１部材の上に配置された一部の前記カバー部と前記第２部材の上に配置された別の一部の前記カバー部をそれぞれ前記本体に相対して開閉させる請求項３記載のマウスデバイス。
【請求項６】
前記ケーブルアセンブリが、
一端が前記本体に接続されたケーブルと、
前記ケーブルの別の一端に接続されたコネクターと、
を含む請求項１記載のマウスデバイス。
【請求項７】
前記本体が、さらに、限位部を有し、前記ケーブルを前記環側部に巻き取った後、前記限位部の中に前記コネクターが収納される請求項６記載のマウスデバイス。
【請求項８】
前記限位部が、前本体の前端に配置され、前記ケーブルが、前記限位部を経由して前記可撓性カバー部材を通過し、前記本体の外に延伸する請求項７記載のマウスデバイス。
【請求項９】
前記コネクターが、ＵＳＢコネクターである請求項６記載のマウスデバイス。
【請求項１０】
前記可撓性カバー部材の材料が、ゴムである請求項１記載のマウスデバイス。
【発明の詳細な説明】
【技術分野】
【０００１】
本発明は、マウスデバイス（mouse device）に関するものであり、特に、ケーブル巻き取り機構を備えたマウスデバイスに関するものである。
【背景技術】
【０００２】
一般的によく見られるマウスデバイスは、マウスに接続するケーブルアセンブリ（cable assembly）を収納するスペースを持っていないため、マウスデバイスを使用しない時に、ケーブルアセンブリがマウスデバイスの外に露出し、持ち運びに不便である。この問題を解決するために、一部のマウスデバイスは、ケーブル巻き取り機構を増設しているが、その多くは、歯車やホイールを使ってケーブルアセンブリを回転させることによって、ケーブルを巻き取る効果を達成するものである。日本特開２００４−１０２９７７において、マウスケーブル保持具が開示されている。
【先行技術文献】
【特許文献】
【０００３】
【特許文献１】特開２００４−１０２９７７号公報
【発明の概要】
【発明が解決しようとする課題】
【０００４】
しかし、この場合、歯車やホイールの連動設計および部材を提供する必要があるため、コストが高くなる、あるいは、マウスの体積を有効に減らすことができない可能性がある。また、この種のケーブル巻き取り機構は、長時間使用することによって摩耗したり、あるいは、構成部材の動作を間違えることによって、内部でケーブルが引っかかったり、断線したりする可能性もある。
【課題を解決するための手段】
【０００５】
本発明は、携帯性に優れたマウスデバイスを提供する。
【０００６】
本発明の実施形態は、本体と、ケーブルアセンブリと、可撓性カバー部材とを含むマウスデバイスを提供する。本体は、頂部と、底部と、頂部と底部の間に重なるように配置された環側部とを有する。環側部の底部上の正投影は、底部の範囲内にあり、且つ環側部の頂部上の正投影は、頂部の範囲内にある。ケーブルアセンブリは、環側部に沿って本体に巻き取られる。可撓性カバー部材は、本体の環側部の上に包むように配置され、可撓性カバー部材は、本体に相対して開閉することによって、環側部に巻き取られたケーブルアセンブリを覆う、または露出する。
【０００７】
本発明の実施形態中、上述した環側部の底部上の正投影の面積は、底部の面積よりも小さく、且つ環側部の頂部上の正投影の面積は、頂部の面積よりも小さいため、頂部、底部および環側部によって本体の環状凹溝が形成される。
【０００８】
本発明の実施形態中、上述した可撓性カバー部材は、頂部に隣接した第１側辺と、底部に隣接した第２側辺と、第１側辺と第２側辺の間に配置されたカバー部とを有する。このカバー部は、環側部を跨いでケーブルアセンブリを覆う。
【０００９】
本発明の実施形態中、上述した可撓性カバー部材の第１側辺は、頂部に接続され、可撓性カバー部材の第２側辺は、取り外しができるよう底部に繋縛される。可撓性カバー部材が第２側辺から第１側辺に向かって移動することによって、カバー部が本体に相対して開いた状態になる。
【００１０】
本発明の実施形態中、上述した可撓性カバー部材は、本体の一側に枢接された第１部材および第２部材を含む。第１部材は、一部の第１側辺と、一部の第２側辺と、一部のカバー部とを有する。第２部材は、別の一部の第１側辺と、別の一部の第２側辺と、別の一部のカバー部とを有する。第１部材および第２部材は、互いに本体に対して反対方向に回転するため、第１部材の上に配置された一部のカバー部と第２部材の上に配置された別の一部のカバー部をそれぞれ本体の環側部に相対して開閉させる。
【００１１】
本発明の実施形態中、上述したケーブルアセンブリは、ケーブルと、コネクターとを含む。ケーブルの一端は、本体に接続され、ケーブルの別の一端は、コネクターに接続される。
【００１２】
本発明の実施形態中、上述した本体は、さらに、限位部を有する。ケーブルを環側部に巻き取った後、限位部の中にコネクターが収納される。
【００１３】
本発明の実施形態中、上述した限位部は、本体の前端に配置され、ケーブルは、限位部を経由して可撓性カバー部材を通過し、本体の外に延伸する。
【００１４】
本発明の実施形態中、上述したコネクターは、ＵＳＢ（Universal Serial Bus）コネクターである。
【００１５】
本発明の実施形態中、上述した可撓性カバー部材の材料は、ゴムである。
【発明の効果】
【００１６】
以上のように、本発明の上記実施形態において、頂部と底部の間に配置された環側部の外径輪郭は、頂部と底部よりも小さいため、マウスデバイスのケーブルアセンブリを環側部の上に巻き取ることができる。そのため、マウスデバイスを使用していない時に、ケーブルアセンブリを収容するスペースとして用いることができ、さらには、ケーブルアセンブリの長さを調整することもできる。また、環側部の上に配置された可撓性カバー部材は、本体に相対して開閉し、環側部の上に巻き取られたケーブルアセンブリを本体に隠す、あるいは露出させることができるため、マウスを使用していない時に、簡潔な外観を提供し、且つ携帯性を向上させることができる。
【００１７】
本発明の上記および他の目的、特徴、および利点をより分かり易くするため、図面と併せた幾つかの実施形態を以下に説明する。
【図面の簡単な説明】
【００１８】
【図１Ａ】本発明の実施形態に係るマウスデバイスの概略図である。
【図１Ｂ】図１Ａのマウスデバイスの局部透視図である。
【図１Ｃ】図１Ａのマウスデバイスの別の状態を示す概略図である。
【図２】図１Ａのマウスデバイスの断面図である。
【図３Ａ】本発明の別の実施形態に係るマウスデバイスの概略図である。
【図３Ｂ】図３Ａのマウスデバイスの別の状態を示す上面図である。
【発明を実施するための形態】
【００１９】
図１Ａは、本発明の実施形態に係るマウスデバイスの概略図である。図１Ｂは、図１Ａのマウスデバイスの局部透視図である。図１Ｃは、図１Ａのマウスデバイスの別の状態を示す概略図である。図１Ａ〜図１Ｃを同時に参照すると、本実施形態において、マウスデバイス１００は、本体１１０と、ケーブルアセンブリ１２０と、可撓性カバー部材１３０とを含む。本体１１０は、頂部１１２と、底部１１４と、頂部１１２と底部１１４の間に重なるように配置された環側部１１６とを有する。本体１１０は、頂部１１２に配置されたクリックボタン１１１と、ホイールボタン１１３とを有し、底部１１４は、平らな台（図示せず）の上に置くのに適しており、ユーザーがマウスデバイス１００を操作するのに便利である。
【００２０】
ケーブルアセンブリ１２０は、ケーブル１２２と、コネクター１２４とを含み、コネクター１２４は、例えば、ＵＳＢコネクターである。ケーブル１２２は、環側部１１６に沿って本体１１０の上に巻き取られ、且つケーブル１２２の一端は本体１１０に接続され、ケーブル１２２の別の一端はコネクター１２４に接続される。また、可撓性カバー部材１３０は、本体１１０の環側部１１６の上に巻き付くように配置され、その中にあるケーブルアセンブリ１２０を隠す、または露出する。
【００２１】
本実施形態において、環側部１１６の底部１１４上の正投影は、底部１１４の範囲内にあり、且つ環側部１１６の頂部１１２上の正投影は、頂部１１２の範囲内にある。さらに説明すると、環側部１１６の底部１１４上の正投影の面積は、底部１１４の面積よりも小さく、且つ環側部１１６の頂部１１２上の正投影の面積は、頂部１１２の面積よりも小さい。
【００２２】
これによって、頂部１１２、底部１１４および環側部１１６は、本体１１０の側表面Ｓ１上に環状凹溝Ｒ１を容易に形成する。上述したケーブルアセンブリ１２０は、この環状凹溝Ｒ１内に容易に巻き取って収容することができ、且つユーザーがケーブルアセンブリ１２０のケーブル１２２を環側部１１６の上に巻き取る回数によって、ケーブル１２２の本体１１０の外に露出する長さをさらに調整することができる。そのため、ユーザーがその時の使用環境に基づいて操作するのに有利であり、マウスデバイス１００の操作性をさらに向上させる。
【００２３】
また、可撓性カバー部材１３０の材料は、例えば、ゴムであり、この環状凹溝Ｒ１の上を覆って、ケーブルアセンブリ１２０を隠すために用いる。反対に、マウスデバイス１００を使用したい時、可撓性カバー部材１３０を開いて、その中に隠されたケーブルアセンブリ１２０を環状凹溝Ｒ１から容易に取り出すことができる。
【００２４】
以上のように、本実施形態のマウスデバイス１００は、底部１１４と頂部１１２の間に環側部１１６を配置し、且つ環側部１１６の輪郭の外径が頂部１１２と底部１１４の輪郭の外径よりも小さいため、この三者によって本体１１０の上の環状凹溝Ｒ１が形成され、ケーブルアセンブリ１２０を環状凹溝Ｒ１の中に巻き取り、収容することができる。そのため、マウスデバイス１００を使用していない時に、ケーブルアセンブリ１２０を本体１１０に収納することができるため、マウスデバイス１００を容易に携帯することができ、且つ携帯している最中にケーブルアセンブリ１２０が落ちる心配をする必要がない。
【００２５】
本実施形態において、可撓性カバー部材１３０は、頂部１１２に隣接する第１側辺１３２と、底部１１４に隣接する第２側辺１３４と、第１側辺１３２と第２側辺１３４の間に配置されたカバー部１３６とを有する。カバー部１３６は、環側部１１６を跨って、環側部１１６の上に巻き取ったケーブルアセンブリ１２０を隠す。
【００２６】
詳しく説明すると、本実施形態の可撓性カバー部材１３０において、第１側辺１３２は、本体１１０の頂部１１２に接続され、第２側辺１３４は、取り外しができるよう本体１１０の底部１１４に繋縛される。こうして、第２側辺１３４を第１側辺１３２に向かって折り返し移動させることによって、可撓性カバー部材１３０のカバー部１３６を本体１１０に相対して容易に開いた状態（図１Ｂに示す）にすることができ、その中にある環状凹溝Ｒ１とその上に巻き取られたケーブルアセンブリ１２０を露出させることができる。
【００２７】
さらに、図１Ｂを参照すると、本実施形態において、本体１１０は、さらに、底部１１４に配置された限位部１１８を有し、ケーブル１２２を環側部１１６に巻き取った後に、コネクター１２２を収納するのに用いる。また、この限位部１１８は、実質的に本体１１０の前端に配置され、ケーブル１２２は、限位部１１８を経由して可撓性カバー部材１３０を通過し、本体１１０の外に延伸することができるため、マウスデバイス１００を使用する時に、ユーザーがケーブル１２２の長さを調整する時のケーブル１２２の収納スペースとしてこの限位部１１８を用いることができる。ここで、限位部１１８の構造および本体１１０の上に配置する位置については限定しないため、設計者であれば、マウスデバイス１００の使用要求に基づいて、適切に変更を加えてもよい。
【００２８】
本発明は、可撓性カバー部材と本体の間の開閉関係を限定しない。図３Ａは、本発明の別の実施形態に係るマウスデバイスの概略図である。図３Ｂは、図３Ａのマウスデバイスの別の状態を示す上面図である。図３Ａおよび図３Ｂを同時に参照すると、上述した実施形態と異なる点は、マウスデバイス２００の可撓性カバー部材２３０が、第１部材２３２および第２部材２３４を含むことである。第１部材２３２は、本体１１０の一側に枢接され、且つ第１部材２３２は、一部の第１側辺２３２ａと、一部のカバー部２３２ｂと、一部の第２側辺２３２ｃとを有する。
【００２９】
また、第２部材２３４も本体１１０に枢接され、且つ第２部材２３４と第１部材２３２は、本体１１０の同じ側に枢接され、且つ第２部材２３４は、別の一部の第１側辺２３４ａと、別の一部のカバー部２３４ｂと、別の一部の第２側辺２３４ｃとを有する。言い換えれば、第１部材２３２および第２部材２３４は、可撓性カバー部材２３０をそれぞれ本体１１０に相対して回転する構成部材に分ける。そのため、第１部材２３２および第２部材２３４を互いに本体１１０に対して反対方向に回転させることによって、第１部材２３２の上に配置されたカバー部２３２ｂと、第２部材２３４の上に配置されたカバー部２３４ｂをそれぞれ本体１１０に相対して容易に開閉させることができる。そのため、可撓性カバー部材２３０は、上述した実施形態と同じように、ケーブルアセンブリ１２０を隠す、または露出する効果を達成することができる。
【００３０】
以上のように、本発明の上述した実施形態において、頂部と底部の間に配置された環側部の外径輪郭は、頂部と底部よりも小さいため、マウスデバイスのケーブルアセンブリを環側部の上に巻き取ることができる。そのため、マウスデバイスを使用していない時に、ケーブルアセンブリを収容するスペースとして用いることができ、さらには、ケーブルアセンブリの長さを調整することもできる。
【００３１】
また、環側部の上に配置された可撓性カバー部材は、本体に相対して開閉し、環側部の上に巻き取られたケーブルアセンブリを本体に隠す、または露出させることができるため、マウスデバイスを使用していない時に、簡潔な外観を提供し、且つ携帯性を向上させることができる。
【００３２】
以上のごとく、この発明を実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【符号の説明】
【００３３】
１００、２００    マウスデバイス
１１０    本体
１１１    クリックボタン
１１２    頂部
１１３    ホイールボタン
１１４    底部
１１６    環側部
１１８    限位部
１２０    ケーブルアセンブリ
１２２    ケーブル
１２４    コネクター
１３０、２３０    可撓性カバー部材
１３２、２３２ａ、２３４ａ    第１側辺
１３４、２３２ｃ、２３４ｃ    第２側辺
１３６、２３２ｂ、２３４ｂ    カバー部
２３２    第１部材
２３４    第２部材
Ｒ１    環状凹溝
Ｓ１    側表面
【図１Ａ】
2012159933.tif 000003
【図１Ｂ】
2012159933.tif 000004
【図１Ｃ】
2012159933.tif 000005
【図２】
2012159933.tif 000006
【図３Ａ】
2012159933.tif 000007
【図３Ｂ】
2012159933.tif 000008